(57)【要約】【課題】  プラスチック材料又はガラスで作られたキャップ等の部品を提供することである。【解決手段】  本発明による、前面（20）、後面（21）及び外面（22）を有するプラスチック材料又はガラスで作られた部品、特にキャップ又はカバーは、前記部品が、不透明ではない材料で作られており、後面は少なくとも前記外面の近くのところが、前記不透明ではない材料と密に接触した暗色の不透明な被膜の層（34）によって不透明に作られており、被膜を設ける場所及びその色は、前記外面を通って入る光が、前記部品の中に生じてその前面（20）から見える光学効果を生じさせることができるように選択されていることを特徴とする。【選択図】      図３
2004155508.tif 000002
【特許請求の範囲】
【請求項１】
前面（20）、後面（21）及び外面（22）を有するプラスチック材料又はガラスで作られた部品、特にキャップ又はカバーにおいて、前記部品は、不透明ではない材料で作られており、後面は少なくとも前記外面の近くのところが、前記不透明ではない材料と密に接触した暗色の不透明な被膜の層（34）によって不透明に作られており、被膜を設ける場所及びその色は、前記外面を通って入る光が、前記部品の中に生じてその前面（20）から見える光学効果を生じさせることができるように選択されていることを特徴とする部品。
【発明の詳細な説明】
【技術分野】
【０００１】
本発明は、プラスチック材料又はガラスで作られた部品に関し、特に、メーキャップ用付属品又は入れ物のクロージャ部材に関するが、これには限定されない。
【背景技術】
【０００２】
化粧品の包装分野では、透明なプラスチック材料を全体的に着色し、不透明にし、場合によってはこれに充填剤を入れてカバー又はキャップを作ることが知られている。
【発明の開示】
【発明が解決しようとする課題】
【０００３】
本発明は、前面、後面及び外面を備えた部品の新規な外観上の効果を得ることを目的としている。
【課題を解決するための手段】
【０００４】
本発明は、部品が不透明ではない材料で作られており、後面は少なくとも外面の近くのところが、不透明ではない材料と密に接触した暗色の不透明な被膜の層によって不透明に作られており、被膜を設ける場所及びその色は、外面を通って入る光が、部品の中に生じてその前面から見える光学効果を生じさせることができるように選択されていることを特徴とする部品により上記目的を達成する。
【０００５】
本発明により、特に前面が円形の輪郭をしている部品について後光効果（ハロー効果）を得ることが可能であり、この後光効果は、特に人目を引きつけることができる。
部品の形状は、後光効果が外面の高さ以下の幅をもつ前面の周囲領域で見えるように選択されている。
特定の実施形態では、被膜は、外面又は後面の縁を通って入った光だけが部品を通過できるように部品上の選択された場所に設けられる。
特定の実施形態では、被膜は、塗料である。
【０００６】
変形実施形態では、被膜は、不透明ではない材料との物理的且つ化学的共存性がある材料の同時射出により被着された層である。
これにより、被膜と不透明ではない材料との密な接触が保証され、それにより所望の効果が得られないようにすることがある空気が存在しないようになる。
【０００７】
被膜の色は、所望の光学効果が見られるようにするために不透明ではない材料の色の関数として選定される。
被膜は例えば、黒色であり、それにより部品中における妨害作用のある反射を回避し、被膜から成る薄い層だけを用いながら所要の不透明度を得ることができる。
【０００８】
好ましくは、使用されるプラスチック材料は、半透明である。
かくして、外面を通って部品中に侵入した光は、部品の通過中に拡散し、かくして有利には、部品中における光学効果が得られる。
【０００９】
特定の実施形態では、後面は、被膜により完全に覆われ、例えば、塗料が吹きつけ法により塗布される。
更に特定の実施形態では、部品は、後面内へ広げられた内側収容部を有する。
部品がカバー又は蓋である場合、かかる収容部は、鏡を受け入れる役目をもつことができる。
【００１０】
内側収容部は、側面及び主要表面で構成され、側面は好ましくは、側面に隣接した主要表面の縁部と同様に、不透明な被膜で途切れなく完全に覆われている。
これにより、たとえ例えば鏡のような不透明な要素が主要表面に当てられた状態で嵌め込まれていても、鏡と内側収容部の側面との間に存在する隙間が光のビームを通さないようになり、それにより部品の外観が損なわれないようになる。
【００１１】
内側収容部の側面は、例えば円筒形又は実質的に円筒形であるのがよい。
好ましくは、内側収容部の側面と外面との間に延びる部品の縁部は、その実質的に全体にわたって、用いられる不透明な被膜で途切れなく覆われ、これは部品の縁の幅が広い場合、特に好ましい。
【００１２】
さらに、特定の実施形態では、前面は、外方に僅かに凹状である。
有利には、前面及び外面は、光を拡散して柔らかい感じの効果を生じさせる艶消し用ワニスの層で覆われている。
【００１３】
外面は、少なくとも一部が円筒形又は円錐形であり、或いは実際には実質的に円筒形であり、次に円錐形となり、そして前方へ広がっている。
外面が前方へ広がって又はフレア状になっていると、材料の厚さの減少又は前縁に一層近接することにより後光効果が増強する。
【００１４】
部品は、包装用品の全体又は一部をなすことができ、部品がクロージャ部材である場合、部品は、後面から突出していて、部品の残部と一体成形されたヒンジ用突片を有するのがよい。
【００１５】
本発明は又、特にスキンケア用品のためのメーキャップ用付属品又は入れ物のクロージャ部材であって、頂壁及び頂壁の周囲から下方に延びる側部スカートを有し、頂壁は、円形の輪郭をした前面を備え、側部スカートは、頂壁の残部と協働して外面を構成し、頂壁及び側部スカートは、後面を構成し、頂壁及び側部スカートは、半透明の材料を成形することにより一体ものとして作られており、前面及び外面は、艶消し用ワニスの層で覆われ、後面は、側部スカートの縁部の広がりの少なくとも実質的に全体、側部スカートの内面、及び側部スカートに隣接した頂壁の内面の少なくとも一部が、暗色の不透明な塗料の層で途切れなく覆われていることを特徴とするクロージャ部材を提供する。
【００１６】
本発明ではまた、被膜は、前記外面又は前記後面の縁を通って入った光だけが部品を通過できるように部品上の選択された場所に設けられているのが好ましい。
被膜の色は黒であるのが好ましい。
被膜は、塗料であるのが好ましい。
被膜は、前記不透明ではない材料との物理的且つ化学的共存性がある材料の同時射出により被着された層であるのが好ましい。
【００１７】
不透明ではない材料は、半透明のプラスチック材料であるのが好ましい。
後面（21）は、前記被膜で完全に覆われているのが好ましい。
後面（21）内へ広げられた内側収容部（16）を有するのが好ましい。
内側収容部（16）は、側面（26）及び主要表面（25）で構成され、前記側面（26）は、前記側面（26）に隣接した前記主要表面（25）の縁部と同様に、前記不透明な被膜で途切れなく完全に覆われているのが好ましい。
【００１８】
側面（26）は、円筒形又は実質的に円筒形であるのが好ましい。
内側収容部（16）の側面（26）と前記外面（22）との間に延びる部品の縁部（27）が、その実質的に全体にわたって前記不透明な被膜（34）で途切れなく覆われているのが好ましい。
前面（20）は、円形の輪郭を有し、得られる光学効果は、後光効果であるのが好ましい。
部品の形状は、後光効果が前記外面の高さ以下の幅をもつ前記前面の周囲領域で見えるように選択されているのが好ましい。
前面（20）は、外方に僅かに凹状であるのが好ましい。
前記前面（20）及び前記外面（22）は、艶消し用ワニスの層（33）で覆われているのが好ましい。
外面（22）は、少なくとも一部が円筒形又は円錐形であるのが好ましい。
外面（22）は、前記後面から始まって前記前面にむかって実質的に円筒形であり、次に円錐形となり、そして前方へ広がっているのが好ましい。
包装用品の全体又は一部、好ましくは特にスキンケア用品のためのメーキャップ用付属品又は入れ物のクロージャであるのが好ましい。
後面から突出していて、前記部品の残部と一体成形されたヒンジ用突片（30）を有しているのが好ましい。
【００１９】
特にスキンケア用品のためのメーキャップ用付属品又は入れ物のクロージャ部材であって、頂壁（14）及び前記頂壁の周囲から下方に延びる側部スカート（15）を有し、頂壁は、円形の輪郭をした前面（20）を備え、側部スカートは、頂壁の残部と協働して外面（22）を構成し、頂壁及び側部スカートは、後面（21）を構成し、頂壁及び側部スカートは、半透明の材料を成形することにより一体ものとして作られており、前記前面及び前記外面は、艶消し用ワニスの層（33）で覆われ、前記後面（21）は、側部スカート（15）の縁部（27）の広がりの少なくとも実質的に全体、側部スカート（15）の内面、及び側部スカートに隣接した頂壁（14）の内面（25）の少なくとも一部が、暗色の不透明な塗料の層（34）で途切れなく覆われているのが好ましい。
【発明を実施するための最良の形態】
【００２０】
本発明の内容は、添付の図面を参照して非限定的な実施形態の以下の詳細な説明を読むと一層よく理解されよう。
【００２１】
図１に概略的に示されているパック１０は、本体１１及びこの本体１１にヒンジ止めされたカバー又は蓋１２を有している。
本体１１は、例えばファンデーションメーキャップ（基礎化粧品）を受け入れるようになっている。
【００２２】
図２及び図３に単独で示されたカバーは、本実施形態では、無色半透明で、しかも充填剤の入っていないプラスチック材料、例えばＡＢＳで作られている。
当然のことながら、本発明は、この特定の材料を用いることに限定されず、例えばＰＥＴ、ポリカーボネート、ＰＣＴＧ又はＰＭＭＡを用いることが可能である。なお、このリストは、排他的ではない。
【００２３】
カバー１２は頂壁１４を有し、この頂壁の周囲から下方にその延長部として側部スカート１５が延びており、この側部スカートは、頂壁１４と同一のプラスチック材料から一体成形されている。
頂壁１４の頂面は、図４で分かるように外方へ僅かに凹状であり、これはカバー１２の前面を構成している。
【００２４】
側部スカート１５は、軸線Ｘを中心として円筒形の側面２６及び軸線Ｘに垂直な平面であって、頂壁１４の底面に相当する主要表面２５によって構成される内側収容部１６を形成している。
カバー１２の後面２１は、カバー１２の主要表面２５、側面２６及び縁部２７の組合せによって形成されている。
【００２５】
図示の実施形態では、収容部１６は、鏡を受け入れるようになっている。
カバー１２の外面２２は前面２０と後面２１を相互に連結している。
前面２０は、円形の縁２３を有し、外面２２は、その後方領域２２ａが軸線Ｘを中心として実質的に円筒形であり、その後、円錐形となり、カバーの前方領域２２ｂでは前面２０の縁に向かって広がっている。
カバー１２の縁部２７は、側面２６と外面２２との間で軸線Ｘに垂直に延びている。
【００２６】
図示の実施形態では、縁部２７の幅は比較的広く、約５mmである。
カバーは、縁部２７に設けられたヒンジ用突片３０及びタブ２９を有し、タブは、パックが使用されていないときにはパックを閉鎖状態に保つよう本体１１の収容部内にステップ動作で取り付けられる。
前面２０及び外面２２は、無色の艶消し用ワニスの層３３で覆われている。
本実施形態の後面２１は、不透明な黒色塗料の層３４で全体が覆われている。
驚くべきことには、この層３４を設けたことにより、魅力ある外観効果を得ることができる。
【００２７】
図４に示すように外面２２を通って入った光は、前面２０の下で不透明ではない材料を通って拡散し、塗料の層３４があるためにコントラストが十分な後光効果（ハロー効果）を生じさせる。
かくして、前面２９は、その中心よりも周囲のほうが実質的に明るいように見える。
この光の効果又は光学的効果は、前面の縁２３の近くになればなるほど一層顕著であり、その結果、特に見た目に感じの良いぼかし効果が得られる。
当然のことながら、本発明は上述の実施形態には限定されない。
【００２８】
本発明は、透明ではない材料で作られた部品、例えばリップスティックケース又はマスカラアプリケータのキャップに特に適用できる。
【図面の簡単な説明】
【００２９】
【図１】本発明のカバーを含むパック又は容器の略図である。
【図２】カバーの下面を示す図である。
【図３】図２のIII-III 線矢視軸方向断面図である。
【図４】外面を通って部品に入った後に光がどのように進むかを示す図２のIV−IV線矢視断面図である。
【符号の説明】
【００３０】
１０  パック
１１  本体
１２  カバー又はクロージャ部材
１５  側部スカート
１６  内側収容部
２０  前面
２１  後面
２２  外面
２６  側面
３０  ヒンジ用突片
【図１】
2004155508.tif 000003
【図２】
2004155508.tif 000004
【図３】
2004155508.tif 000005
【図４】
2004155508.tif 000006